(57)【要約】【課題】  上方に設置された機器の下面のリセットスイッチを、機器の下方から容易に操作できる装置を提供する。【解決手段】  上方の取付箇所２５に設置されるとともに、下面にリセットスイッチ１９ａ、１９ｂが設けられた機器１５の前記リセットスイッチ１９ａ、１９ｂを、前記機器１５の下方から操作するリセット装置１であって、先端が前記取付箇所２５に掛着されるとともに、前記取付箇所２５に沿って移動可能な支持部２と、該支持部２に設けられるとともに、前記機器１５の隣接する２側面又は対向する２側面に当接可能なガイド５部と、該ガイド部５を前記機器１５の２側面に当接させた状態で、上方に移動させることにより、前記リセットスイッチ１９ａ、１９ｂを操作可能なリセット棒と１３ａ、１３ｂを備えている。【選択図】        図１
2014135165.tif 000002
【特許請求の範囲】
【請求項１】
上方の取付箇所に設置されるとともに、下面にリセットスイッチが設けられた機器の前記リセットスイッチを、前記機器の下方から操作するリセット装置であって、
先端が前記取付箇所に掛着されるとともに、前記取付箇所に沿って移動可能な支持部と、該支持部に設けられるとともに、前記機器の隣接する２側面又は対向する２側面に当接可能なガイド部と、該ガイド部を前記機器の２側面に当接させた状態で、上方に移動させることにより、前記リセットスイッチを操作可能なリセット棒とを備えていることを特徴とするリセット装置。
【請求項２】
前記リセット棒は、前記支持部に沿って上下方向に移動可能な操作部に設けられていることを特徴とする請求項１に記載のリセット装置。
【請求項３】
前記リセット棒は、前記支持部に一体に設けられていることを特徴とする請求項１に記載のリセット装置。
【請求項４】
前記機器の下面には一対のリセット孔が設けられ、各リセット孔内に前記リセットスイッチがそれぞれ設けられるとともに、各リセット孔内に挿入可能な一対のリセット棒を備えていることを特徴とする請求項１〜３の何れか１項に記載のリセット装置。
【請求項５】
前記リセット棒と一体に上下方向に移動可能な位置決め棒を備え、該位置決め棒は、前記機器の下面に設けられた位置決め孔内に挿入可能に構成されていることを特徴とする請求項１〜４の何れか１項に記載のリセット装置。
【発明の詳細な説明】
【技術分野】
【０００１】
本発明は、リセット装置に関し、特に、上方に設置された機器の下面に設けられたリセットスイッチを、機器の下方から操作するのに有効なリセット装置に関する。
【背景技術】
【０００２】
この種の機器の一例として、地上から５〜６ｍの高さの電柱上やケーブルに吊り下げられた状態に設置されたスマートメーター集約装置がある。スマートメーター集約装置は、筐体の内部に各家庭からのデータを収集するための無線装置、収集したデータを計算センターへ伝送するための伝送装置、及び、これらに付帯する電源装置等を収納したものである。
【０００３】
このような機能を備えたスマートメーター集約装置は、伝送装置が正常な場合には、監視室から伝送装置のリセット操作を行うことができるが、伝送装置が異常な状態になった場合には、監視室から伝送装置のリセット操作を行うことができなくなってしまう。
【０００４】
このため、伝送装置に異常が認められた場合には、作業員が現地で高所作業車等を使用して、スマートメーター集約装置が設置されている高さまで上り、スマートメーター集約装置の筐体を開けて、筐体の内部に収容されている伝送装置をリセットする必要がある。このため、雨天時の作業においては、筐体の内部に雨水が浸入しないように、養生シート等で筐体を養生する必要があり、スマートメーター集約装置のリセットに非常に手間がかかることになる。
【０００５】
一方、上記のような問題に対処するため、スマートメーター集約装置の筐体に、外部から操作可能なリセットスイッチを設け、このリセットスイッチを筐体の外部から操作することにより、筐体の内部の伝送装置のリセット操作を行うことが考えられる。
【０００６】
例えば、特許文献１に記載のような技術を利用し、スマートメーター集約装置の筐体にリセットレリーズガイドを設け、このリセットレリーズガイドにリセットレリーズを挿入することで、リセットレリーズ内に設けられたリセットスイッチを操作する方法が考えられる。このような技術を利用することにより、スマートメーター集約装置の筐体を開ける必要がなくなるので、雨天時においても、筐体を養生シート等で養生する必要はない。
【０００７】
しかし、このような技術を利用しても、スマートメーター集約装置のリセットスイッチを操作するためには、高所作業車等を使用してスマートメーター集約装置が設置されている高さまで上って作業を行う必要があり、その作業に非常に手間がかかることになる。
【先行技術文献】
【特許文献】
【０００８】
【特許文献１】特開２０１２−１４９８９号公報
【発明の概要】
【発明が解決しようとする課題】
【０００９】
本発明は、上記のような従来の問題に鑑みなされたものであって、上方に設置された機器の下面に設けたリセットスイッチを、機器の下方から容易に操作することができるリセット装置を提供することを目的とする。
【課題を解決するための手段】
【００１０】
上記のような課題を解決するために、本発明は、以下のような手段を採用している。
すなわち、本発明は、上方の取付箇所に設置されるとともに、下面にリセットスイッチが設けられた機器の前記リセットスイッチを、前記機器の下方から操作するリセット装置であって、先端が前記取付箇所に掛着されるとともに、前記取付箇所に沿って移動可能な支持部と、該支持部に設けられるとともに、前記機器の隣接する２側面又は対向する２側面に当接可能なガイド部と、該ガイド部を前記機器の２側面に当接させた状態で、上方に移動させることにより、前記リセットスイッチを操作可能なリセット棒とを備えていることを特徴とする。
【００１１】
本発明のリセット装置によれば、支持部の先端を取付箇所に掛着させ、この状態で支持部の先端を取付箇所に沿って移動させてガイド部を機器の隣接する２側面又は対向する２側面に当接させ、この状態でリセット棒を上方に移動させることにより、リセットスイッチを操作することができる。従って、上方に設置された機器の下方から機器のリセットスイッチを操作することができるので、例えば、電柱の腕金又はケーブルに設置された機器としてのスマートメーター集約装置を対象とする場合には、高所作業車等を利用して、作業員がスマートメーター集約装置の設置されている高さまで上る必要はなく、地上からスマートメーター集約装置のリセットスイッチの操作を容易に、短時間で行うことができる。
【００１２】
また、本発明において、前記リセット棒は、前記支持部に沿って上下方向に移動可能な操作部に設けられていることとしてもよい。
【００１３】
本発明のリセット装置によれば、支持部の先端を取付箇所に掛着させ、この状態で支持部の先端を取付箇所に沿って移動させてガイド部を機器の隣接する２側面又は対向する２側面に当接させ、この状態で、操作部を支持部に沿って上方に移動させることにより、操作部のリセット棒でリセットスイッチを操作することができる。
【００１４】
また、本発明において、前記リセット棒は、前記支持部に一体に設けられていることとしてもよい。
【００１５】
本発明のリセット装置によれば、支持部の先端を取付箇所に掛着させ、この状態で支持部の先端を取付箇所に沿って移動させてガイド部を機器の隣接する２側面又は対向する２側面に当接させ、この状態で、支持部を上方に移動させることにより、支持部のリセット棒でリセットスイッチを操作することができる。
【００１６】
また、本発明において、前記機器の下面には一対のリセット孔が設けられ、各リセット孔内に前記リセットスイッチがそれぞれ設けられるとともに、各リセット孔内に挿入可能な一対のリセット棒を備えていることとしてもよい。
【００１７】
本発明のリセット装置によれば、各リセット棒を各リセット孔内に挿入して、各リセット棒で各リセット孔内の各リセットスイッチを操作することにより、機器をリセットすることができるので、例えば、両リセットスイッチを同時に操作することにより、機器がリセットされるように構成しておくことにより、悪戯等によって各リセット孔内のリセットスイッチが操作されても、両リセットスイッチが同時に操作されない限り機器がリセットされることはないので、機器のセキュリティ対策が不要となる。
【００１８】
さらに、本発明において、前記リセット棒と一体に上下方向に移動可能な位置決め棒を備え、該位置決め棒は、前記機器の下面に設けられた位置決め孔内に挿入可能に構成されていることとしてもよい。
【００１９】
本発明のリセット装置によれば、位置決め棒を機器の下面の位置決め孔内に挿入させた状態で、リセット棒を機器のリセット孔内に挿入させることができるので、リセット棒を機器のリセット孔内に確実に挿入させることができ、機器のリセット操作を確実に行うことができる。
【発明の効果】
【００２０】
以上、説明したように、本発明のリセット装置によれば、上方に設置された機器の下面に設けられたリセットスイッチの操作を、機器の下方から行うことができるので、例えば、電柱の腕金やケーブルに設置されたスマートメーター集約装置のリセットを行う場合に、高所作業車等を使用して作業員がスマートメーター集約装置が設置されている高さまで上る必要がなく、地上からスマートメーター集約装置のリセット操作を容易に、短時間で行うことができる。
【図面の簡単な説明】
【００２１】
【図１】本発明によるリセット装置の一実施の形態を示した斜視図である。
【図２】図１のＡ矢視図である。
【図３】スマートメーター集約装置の正面図である。
【図４】図３の上面図である。
【図５】図３の下面図である。
【図６】リセット回路の概略図である。
【発明を実施するための形態】
【００２２】
以下、図面を参照しながら本発明の実施の形態について説明する。
図１〜図６には、本発明によるリセット装置の一実施の形態が示されている。本実施の形態のリセット装置１は、例えば、上方に設置されたスマートメーター集約装置１５（以下、集約装置１５という。）のリセットスイッチ１９ａ、１９ｂを、集約装置１５の下方から操作するのに有効なものである。
【００２３】
集約装置１は、例えば、図１及び図２に示すように、地上高さ５〜６ｍの電柱の腕金又はケーブルに吊り下げられた状態に設置され、この集約装置１５のリセットスイッチ１９ａ、１９ｂの操作に本発明のリセット装置１が適用される。
【００２４】
集約装置１５は、図３〜図６に示すように、筐体１６の内部に、各家庭のスマートメーターから電力使用量等のデータを収集するための無線装置、収集したデータを計算センターへ伝送するための伝送装置、伝送装置をリセットするためのリセットスイッチ１９ａ、１９ｂ、これらの電源装置等を収納したものであって、筐体１６の上部に設けられた取付金具２１を介して電柱の腕金又はケーブル（以下、取付箇所２５という。）に吊り下げられた状態に取り付けられている。
【００２５】
筐体１６は、直方体状の箱形状をなすものであって、下面１６ｂ側の隅部に筐体１６の内外を貫通する一つの位置決め孔１７と一対のリセット孔１８ａ、１８ｂとが設けられ、下面１６ｂ側の中央部に筐体１６の内部を透視可能な透明板で閉塞された表示窓２０が設けられている。
【００２６】
リセットスイッチ１９ａ、１９ｂは、押しボタン式のスイッチであって、筐体１６の内部の各リセット孔１８ａ、１８ｂの内側にそれぞれ設けられている。各リセットスイッチ１９ａ、１９ｂは、後述するリセット装置１の各リセット棒１３ａ、１３ｂを各リセット孔１８ａ、１８ｂ内に挿入し、各リセット棒１３ａ、１３ｂを上方に押し上げることにより、各リセット棒１３ａ、１３ｂの先端で押圧されるように構成されている。
【００２７】
本実施の形態においては、リセット装置１の一対のリセット棒１３ａ、１３ｂで一対のリセットスイッチ１９ａ、１９ｂを同時に押圧して、両リセットスイッチ１９ａ、１９ｂの接点を同時に閉じることにより、リセット回路２２を介して伝送装置がリセットされるようになっている。
【００２８】
位置決め孔１７は、下端がラッパ状に広がる筒状部材２３を筐体１６の内部に設けて、この筒状部材２３の上端を筐体１６の上面１６ａに開口させ、下端を筐体１６の下面１６ｂに開口させたものであって、この位置決め孔１７内にリセット装置１の位置決め棒１２が挿入可能に構成されている。
【００２９】
筐体１６の内部の表示窓２０に対応する部分には、ＬＥＤランプ等からなる一つ又は複数の表示ランプ２４が設けられ、表示窓２０から筐体１６の内部を目視して、表示ランプ２４の点灯の有無、又は点灯の色を確認することにより、伝送装置がリセットされたか否かを確認できるようになっている。
【００３０】
本実施の形態のリセット装置１は、図１、図２に示すように、取付箇所２５に引っ掛けた状態で、取付箇所２５に沿って移動可能な支持部２と、支持部２に設けられるとともに、集約装置１５の筐体１６の直交する２面（例えば、前面１６ｃと側面１６ｅ）に当接可能なガイド部５と、支持部２に沿って上下方向に移動可能な操作部８と、操作部８に設けられるとともに、集約装置１５の筐体１６の位置決め孔１７、及び各リセット孔１８ａ、１８ｂ内にそれぞれ挿入可能な位置決め棒１２、及び一対のリセット棒１３ａ、１３ｂとから構成されている。
【００３１】
支持部２は、帯板状の本体部３と、本体部３の先端部に設けられる略凸状の掛着部４とから構成されている。支持部２は、掛着部４を集約装置１５が取り付けられた取付箇所２５に掛着させることにより、取付箇所２５に吊り下げられた状態に、かつ取付箇所２５に沿って移動可能な状態に取り付けられる。支持部２は、作業員が本体部３を手で掴んで操作することにより、地上から掛着部４を集約装置１５が取り付けられた取付箇所２５に掛着可能な長さに形成されている。支持部２の本体部３には、全長に亘って目盛３ａが付され、この目盛３ａにより支持部２の本体部３に対する操作部８の上下方向の相対的な位置、つまり、後述する位置決め棒１２、及び一対のリセット棒１３ａ、１３ｂの上下方向の位置を確認できるようになっている。  
支持部２は、絶縁性を有するとともに、操作部８及びガイド部５を支持可能な強度を有し、かつ、作業員が容易に取付箇所２５に引っ掛けることが可能な軽量の材料から形成されている。
【００３２】
ガイド部５は、図１、図２、及び図５に示すように、平板状の第１ガイド部６と、第１ガイド部６と直交する平板状の第２ガイド部７とからなるＬ形板状をなすものであって、第１ガイド部６の表裏面６ａ、６ｂが支持部２の本体部３の面内方向を向くように、第２ガイド部７の表裏面７ａ、７ｂが支持部２の本体部３の面外方向を向くように、支持部２の本体部３に取り付けられている。
【００３３】
ガイド部５は、支持部２の掛着部４を上方の取付箇所２５に掛着させた状態で、掛着部４を取付箇所２５に沿って移動させることにより、第１ガイド部６の裏面６ｂ及び第２ガイド部７の裏面７ｂが集約装置１５の筐体１６の直交する２面（例えば、側面１６ｅ及び前面１６ｃ）に当接可能に構成されている。
【００３４】
操作部８は、支持部２の本体部３に沿って上下方向に移動可能な帯板状の本体部９と、本体部９を支持部２の本体部３に沿って上下方向に移動可能に支持する案内部１１と、本体部９の先端部に一体に設けられるとともに、上下面１０ａ、１０ｂが本体部９の面外方向を向く張出部１０と、張出部１０の上面１０ａに垂直に立設されるとともに、集約装置１５の筐体１６の位置決め孔１７、及び各リセット孔１８ａ、１８ｂ内にそれぞれ挿入可能な位置決め棒１２、及び一対のリセット棒１３ａ、１３ｂとから構成されている。
操作部８は、絶縁性を有するとともに、支持部２の本体部３に沿って上下方向に移動させて、一対のリセット棒１３ａ、１３ｂでリセットスイッチ１９ａ、１９ｂを押圧するのに十分な強度を有し、かつ、作業員が支持部２の本体部３に沿って容易に上下方向に移動させることが可能な軽量の材料から形成されている。
【００３５】
位置決め棒１２、及び両リセット棒１３ａ、１３ｂは、集約装置１５の筐体１６の位置決め孔１７、及び一対のリセット孔１８ａ、１８ｂと同一ピッチとなるように、張出部１０の上面１０ａに垂直に立設されるとともに、両リセット棒１３ａ、１３ｂは同一長さに形成され、位置決め棒１２は両リセット棒１３ａ、１３ｂよりも長く形成されている。支持部２のガイド部５の第１ガイド部６の裏面６ｂ及び第２ガイド部７の裏面７ｂを集約装置１５の筐体１６の側面１６ｅ及び前面１６ｃに当接させることにより、位置決め棒１２、及び各リセット棒１３ａ、１３ｂが、筐体１５の位置決め孔１７、及び各リセット孔１８ａ、１８ｂの鉛直下方に配置される。
【００３６】
操作部１８は、作業員が本体部９を手で掴んで操作することにより、地上から位置決め棒１２、及び各リセット棒１３ａ、１３ｂを集約装置１５の筐体１６の位置決め孔１７、及び各リセット孔１８ａ、１８ｂ内にそれぞれ挿入させることが可能な長さに形成されている。
【００３７】
上記のように構成した本実施の形態によるリセット装置１で集約装置１５のリセットスイッチ１９ａ、１９ｂを操作するには、図１及び図２に示すように、作業員がリセット装置１の支持部２の本体部３を手で掴んで、掛着部４を集約装置１５が設置されている取付箇所２５に掛着させ、掛着部４を取付箇所２５に沿って移動させることにより、ガイド部５の第１ガイド部６の裏面６ｂ及び第２ガイド部７の裏面７ｂを集約装置１５の筐体１６の直交する２面（側面１６ｅ及び前面１６ｃ）に当接させ、操作部８の位置決め棒１２、及び各リセット棒１３ａ、１３ｂを集約装置１５の筐体１６の位置決め孔１７、及び各リセット孔１８ａ、１８ｂの鉛直下方にそれぞれ配置させる。
【００３８】
そして、この状態で、操作部８の本体部９を手で掴んで、操作部８の本体部９を支持部２の本体部３に沿って上方に移動させることにより、位置決め棒１２を筐体１６の位置決め孔１７内に挿入し、この状態で操作部８を更に上方に移動させることにより、各リセット棒１３ａ、１３ｂを筐体１６の各リセット孔１８ａ、１８ｂ内にそれぞれ挿入する。
【００３９】
そして、操作部８を更に上方に移動させることにより、各リセット棒１３ａ、１３ｂを上方に押し上げ、各リセット棒１３ａ、１３ｂの先端で各リセット１８ａ、１８ｂ内の各リセットスイッチ１９ａ、１９ｂを押圧する。
【００４０】
これにより、各リセットスイッチ１９ａ、１９ｂの接点が閉じられ、図６に示すリセット回路２２を介して筐体１６の内部の伝送装置がリセットされ、伝送装置のリセットの完了により表示灯２０が点灯される。
【００４１】
上記のように構成した本実施の形態のリセット装置１にあっては、集約装置１５が設置された取付箇所２５の下方の地上において、作業員がリセット装置１を操作して、各リセット棒１３ａ、１３ｂを集約装置１５の筐体１６の各リセット孔１８ａ、１８ｂ内に挿入して、各リセット棒１３ａ、１３ｂで各リセットスイッチ１９ａ、１９を押圧することにより、集約装置１５の筐体１６の内部の伝送装置をリセットすることができる。
【００４２】
従って、高所作業車等を使用して、作業員が集約装置１５が設置されている取付箇所２５まで上って、リセットスイッチ１９ａ、１９ｂを操作する必要がないので、集約装置１５の筐体１６の内部の伝送装置のリセットを容易に、短時間で行うことができる。
【００４３】
また、集約装置１５の筐体１６に一対のリセット孔１８ａ、１８ｂを設けて、各リセット孔１８ａ、１８ｂ内に各リセット棒１３ａ、１３ｂを挿入して、各リセット孔１８ａ、１８ｂ内の各リセットスイッチ１９ａ、１９ｂを同時に押圧することにより、伝送装置がリセットされるように構成したので、地上から棒等を用いて悪戯によって各リセットスイッチ１９ａ、１９ｂが操作されても、両リセットスイッチ１９ａ、１９ｂが同時に操作されない限り、集約装置１５の伝送装置がリセットされることはないので、集約装置１５のセキュリティ対策が不要となる。
【００４４】
また、集約装置１５の筐体１６の下面１６ｂの中央部に透明板で塞いだ表示窓２０を設けて、表示窓２０を介して筐体１６の内部に設けた表示灯２４を目視できるように構成したので、地上から表示灯２４が点灯しているか否か等を目視することにより、集約装置１５の伝送装置がリセットされたか否かを容易に確認することができる。
【００４５】
なお、上記の説明においては、支持部２の本体部３に沿って操作部８を移動可能に構成したが、操作部８を支持部２の本体部３に固定してもよい。その場合には、操作部８が不要となるので、張出部１０を支持部の本体部３に直接に固定し、張出部１０の上面１０ａに位置決め棒１２、及び一対のリセット棒１３ａ、１３ｂを垂直に立設すればよい。
【００４６】
なお、この場合には、支持部２の掛着部４を上方の取付箇所２５に掛着させた状態で、掛着部４を取付箇所２５に沿って移動させて、ガイド部５の第１ガイド部６の裏面６ｂ、及び第２ガイド部７の裏面７ｂを集約装置１５の筐体１６の側面１６ｅ、及び前面１６ｃに当接させた状態で、支持部２を上方に押し上げて、ガイド部５の第１ガイド部６及び第２ガイド部７を筐体１６の側面１６ｅ及び前面１６ｃに沿って上方にスライドさせることにより、位置決め棒１２、及び各リセット棒１３ａ、１３ｂを筐体１６の位置決め孔１７、及び各リセット孔１８ａ、１８ｂ内にそれぞれ挿入させ、各リセットスイッチ１９ａ、１９ｂを各リセット棒１３ａ、１３ｂで押圧することになる。
【００４７】
また、上記の説明においては、ガイド部５を第１ガイド部６と第２ガイド部７とからなるＬ形板状に形成したが、ガイド部５を、集約装置１５の筐体１６の前面１６ｃと後面１６ｄとに当接可能な第１ガイド部６と第２ガイド部７とによって構成してもよい。この場合には、掛着部４を取付箇所２５に掛着させた状態で、支持部２を取付箇所２５の軸線周りに回動させて、両ガイド部６、７を筐体１６の前面１６ｃ及び後面１６ｄに側方から当接させればよい。
【００４８】
また、前記の説明においては、集約装置１５の筐体１６に一対のリセット孔１８ａ、１８ｂを設けて、各リセット孔１８ａ、１８ｂ内にそれぞれリセットスイッチ１９ａ、１９ｂを設けたが、悪戯等の心配がない場合には、筐体１６に一つのリセット孔を設け、このリセット孔内にリセットスイッチを設けるように構成してもよい。
【００４９】
さらに、前記の説明においては、筐体１６の下面に位置決め孔１７を設けて、この位置決め孔１７内に位置決め棒１２を挿入させるように構成したが、ガイド部５のみによってリセット棒１３ａ、１３ｂをリセット孔１８ａ、１８ｂの鉛直可能に位置決めできる場合には、位置決め孔１７と位置決め棒１２は不要である。
【符号の説明】
【００５０】
１  リセット装置
２  支持部
３  本体部
３ａ  目盛
４  掛着部
５  ガイド部
６  第１ガイド部
６ａ  表面
６ｂ  裏面
７  第２ガイド部
７ａ  表面
７ｂ  裏面
８  操作部
９  本体部
１０  張出部
１０ａ  上面
１０ｂ  下面
１１  案内部
１２  位置決め棒
１３ａ  リセット棒
１３ｂ  リセット棒
１５  機器（スマートメーター集約装置）
１６  筐体
１６ａ  上面
１６ｂ  下面
１６ｃ  前面
１６ｄ  後面
１６ｅ  側面
１６ｆ  側面
１７  位置決め孔
１８ａ  リセット孔
１８ｂ  リセット孔
１９ａ  リセットスイッチ
１９ｂ  リセットスイッチ
２０  表示窓
２１  取付金具
２２  リセット回路
２３  筒状部材
２４  表示ランプ
２５  取付箇所
【図１】
2014135165.tif 000003
【図２】
2014135165.tif 000004
【図３】
2014135165.tif 000005
【図４】
2014135165.tif 000006
【図５】
2014135165.tif 000007
【図６】
2014135165.tif 000008